(57)【要約】【課題】照明器具を操作するための照明操作装置において、主照明の点灯操作と消灯操作を切り替える過程で、照明器具を容易に照度の低い点灯状態に操作する。【解決手段】本発明の照明操作装置は、主照明および副照明を有する照明器具の操作をおこなう照明操作装置であって、可動式の操作つまみを備え、該操作つまみの可動方向において、主照明の点灯操作をおこなう位置と、副照明の点灯操作をおこなう位置と、消灯操作をおこなう位置と、がこの順に配置されたスイッチ部と、操作つまみの基準点の位置に応じた操作内容を表す信号を、照明器具に送信する指示部と、を有することを特徴とする。【選択図】図２
2009140863.tif 000002
【特許請求の範囲】
【請求項１】
主照明および副照明を有する照明器具の操作をおこなう照明操作装置であって、
可動式の操作つまみを備え、該操作つまみの可動方向において、前記主照明の点灯操作をおこなう位置と、前記副照明の点灯操作をおこなう位置と、消灯操作をおこなう位置と、がこの順に配置されたスイッチ部と、
前記操作つまみの基準点の位置に応じた操作内容を表す信号を、前記照明器具に送信する指示部と、を有することを特徴とする照明操作装置。
【請求項２】
前記照明器具は、前記主照明の調光点灯が可能であり、
前記スイッチ部は、前記操作つまみの可動方向において、前記主照明の点灯操作をおこなう位置が、前記主照明の調光度合いに応じた位置に分けられている、請求項１に記載の照明操作装置。
【請求項３】
前記スイッチ部は、前記操作つまみとしてスライドつまみを備えるスライドスイッチである、請求項１または２に記載の照明操作装置。
【請求項４】
前記スイッチ部は、前記操作つまみとして回転つまみを備えるロータリースイッチである、請求項１または２に記載の照明操作装置。
【請求項５】
前記照明操作装置は、前記信号を無線により前記照明器具に送信する照明操作装置である、請求項１から４のいずれか１項に記載の照明操作装置。
【請求項６】
前記照明操作装置は、前記信号を有線により前記照明器具に送信する照明操作装置である、請求項１から４のいずれか１項に記載の照明操作装置。
【請求項７】
主照明および副照明を有する照明器具と、
請求項１から６のいずれか１項に記載の照明操作装置と、を有し、
前記照明器具は、前記照明操作装置から送信された信号の操作内容に従い、前記主照明および前記副照明の制御をおこなう制御部を有することを特徴とする照明システム。
【発明の詳細な説明】
【技術分野】
【０００１】
本発明は、照明器具の操作をおこなう照明操作装置および該照明操作装置を備えた照明システムに関する。
【背景技術】
【０００２】
照明器具の操作をおこなう照明操作装置は、壁に埋め込まれ、照明器具への操作内容を表す信号を、有線（例えば、壁の内側から天井側に引き込まれたケーブル）により照明器具に送信する埋め込み式と、上記操作信号を無線により照明器具に送信するリモコン式と、の２通りに大別することができる。
【０００３】
埋め込み式の照明操作装置には、蛍光灯や白熱灯などの主照明の全灯操作と消灯操作のみがおこなえるシーソースイッチを備えたものと、主照明の調光点灯操作がおこなえるスイッチを備えたものと、が存在する。また、調光点灯操作がおこなえるスイッチとしては、特許文献１に記載されているロータリースイッチや、特許文献２に記載されているスライドスイッチ、が存在する。
【０００４】
調光点灯操作がおこなえる埋め込み式の照明操作装置では、可動式の操作つまみに設けられている基準点の位置を、所望の調光度合いに応じた位置に設定することで、全灯から消灯の状態の範囲で、主照明の調光点灯操作をおこなうことができる。
【０００５】
一方、リモコン式の照明操作装置には、図４に示すように、押しボタンスイッチにより、照明器具の操作をおこなうものが存在する。このリモコン式の照明操作装置には、全灯、調光、保安球、消灯、など各操作内容に応じた押下式のボタンが設けられており、所望の操作内容のボタンを押下することにより、照明器具の操作をおこなうことができる。
【特許文献１】特開昭６２−２５２０９４号公報
【特許文献２】特開第３２２７１５１号公報
【発明の開示】
【発明が解決しようとする課題】
【０００６】
しかし、上述した照明操作装置には、以下に示すような課題がある。
【０００７】
特許文献１や２に記載されているロータリースイッチやスライドスイッチを備えた埋め込み式の照明操作装置では、これらのスイッチで主照明しか操作することができず、保安球である副照明の点灯操作をおこなうことができない。
【０００８】
そのため、照明器具の照度を徐々に落としながら消灯したい場合などには、副照明のように低い照度の調光度合いに主照明の調光点灯操作をおこなう必要がある。しかし、ロータリースイッチやスライドスイッチを用いて、そのような低い照度の調光度合いに主照明の調光点灯操作をおこなうには、操作つまみの基準点の位置を、消灯操作をおこなう位置の極近傍に設定する必要があり、操作を誤って消灯されてしまう場合が多い。
【０００９】
そのため、主照明の点灯操作と消灯操作を切り替える過程で、照明器具を容易に照度が低い点灯状態に操作する必要があるという課題がある。
【００１０】
一方、押しボタンスイッチを備えたリモコン式の照明操作装置では、図４に示すように、主照明の点灯操作をおこなうボタン（全灯および調光）と、副照明の点灯操作をおこなうボタン（保安球）と、消灯操作をおこなうボタン（消灯）と、が分かれている。そのため、副照明の点灯操作をおこなうボタンと、消灯操作をおこなうボタンと、を押し間違え、主照明が点灯している状態からいきなり消灯されてしまうなど、ボタンの押し間違いにより、照明器具が、意図した点灯状態とは照度が大きく異なる点灯状態に操作されてしまう場合がある。
【００１１】
そのため、主照明の点灯操作と消灯操作を切り替える過程で、いきなり照度が大きく異なる点灯状態に操作されることが無いようにする必要があるという課題がある。
【００１２】
本発明の目的は、上述した課題を解決することができる照明操作装置、および該照明操作装置を備えた照明システムを提供することにある。
【課題を解決するための手段】
【００１３】
上記目的を達成するために本発明の照明操作装置は、
主照明および副照明を有する照明器具の操作をおこなう照明操作装置であって、
可動式の操作つまみを備え、該操作つまみの可動方向において、前記主照明の点灯操作をおこなう位置と、前記副照明の点灯操作をおこなう位置と、消灯操作をおこなう位置と、がこの順に配置されたスイッチ部と、
前記操作つまみの基準点の位置に応じた操作内容を表す信号を、前記照明器具に送信する指示部と、を有することを特徴とする。
【００１４】
上記目的を達成するために本発明の照明システムは、
主照明および副照明を有する照明器具と、
前記照明操作装置と、を有し、
前記照明器具は、前記照明操作装置から送信された信号の操作内容に従い、前記主照明および前記副照明の制御をおこなう制御部を有することを特徴とする。
【発明の効果】
【００１５】
上述したように、本発明によれば、スイッチ部において、操作つまみの可動方向において、照明器具に、主照明の点灯操作をおこなう位置と、副照明の点灯操作をおこなう位置と、消灯操作をおこなう位置と、がこの順に配置されており、指示部において、操作つまみの基準点の位置に応じた操作内容を照明器具に送信する構成となっている。
【００１６】
そのため、本発明によれば、主照明の点灯操作と消灯操作を切り替える過程で、必ず副照明の点灯操作がおこなわれる。
【００１７】
これにより、主照明の点灯操作と消灯操作を切り替える過程で、照明器具を、副照明の点灯という照度の低い点灯状態に容易に操作することができるという効果が得られる。
【００１８】
また、主照明の点灯操作と消灯操作を切り替える過程で、必ず副照明が点灯されるため、いきなり照度が大きく異なる点灯状態に操作されることが無いという効果が得られる。
【発明を実施するための最良の形態】
【００１９】
以下に、本発明を実施するための最良の形態について図面を参照して説明する。
【００２０】
図１に本実施形態の照明システムの構成を示す。
【００２１】
図１に示すように、本実施形態の照明システムは、照明操作装置１０００と、照明器具２０００と、からなる。なお、本実施形態では、照明操作装置１０００として、リモコン式のものを想定して説明をおこなう。
【００２２】
照明器具２０００は、主照明２１００と、副照明２２００と、制御部２３００と、を有している。
【００２３】
主照明２１００は、照明器具２０００における主たる光源であり、蛍光灯や白熱灯が用いられる。
【００２４】
副照明２２００は、照明器具２０００における補助的な光源であり、保安球が用いられる。
【００２５】
制御部２３００は、照明操作装置１０００から送信された信号の操作内容に従い、主照明２１００および副照明２２００の制御をおこなう。
【００２６】
照明操作装置１０００は、照明器具２０００を操作するための装置であり、スイッチ部１１００と、指示部１２００と、を有する。
【００２７】
図２に、図１に示したスイッチ部１１００の外観図を示す。
【００２８】
図２に示すように、スイッチ部１１００は、可動式の操作つまみ１１１０としてスライドつまみを備えるスライドスイッチであり、操作つまみ１１１０の可動方向において、主照明２１００の点灯操作をおこなう位置と、副照明２２００の点灯操作をおこなう位置と、消灯操作をおこなう位置と、がこの順に配置されている。
【００２９】
また、操作つまみ１１１０には、基準点１１１１が設けられている。本実施形態の照明システムでは、この操作つまみ１１１０の基準点１１１１の位置を、上述した照明器具２０００に対する所望の操作内容を表す位置に設定することで、照明器具２０００の操作をおこなうことができる。
【００３０】
また、本実施形態では、照明器具２０００において主照明２１００の調光点灯が可能であることを想定しているため、操作つまみ１１１０の可動方向において、主照明２１００の点灯操作をおこなう位置を、主照明２１００の調光度合いに応じた位置に分けている。
【００３１】
指示部１２００は、操作つまみ１１１０の基準点１１１１の位置に応じた操作内容を表す信号を、照明器具２０００に送信する。
【００３２】
以下に、本実施形態の照明システムの動作を説明する。
【００３３】
まず、本実施形態の照明システムの利用者は、照明器具２０００を操作するために、照明操作装置１０００の操作つまみ１１１０の基準点１１１１の位置を、照明器具２０００に対する所望の操作内容を表す位置に設定する。
【００３４】
次に、照明操作装置１０００の指示部１２００は、操作つまみ１１１０の基準点１１１１の位置に応じた操作内容を表す信号を、照明器具２０００に送信する。
【００３５】
その後、照明器具２０００の制御部２３００にて、照明操作装置１０００から送信された信号の操作内容に従い、主照明２１００および副照明２２００の制御がおこなわれる。
【００３６】
上述したように、本実施形態では、スイッチ部１１００において、操作つまみ１１１０の可動方向において、照明器具２０００に、主照明２１００の点灯操作をおこなう位置と、副照明２２００の点灯操作をおこなう位置と、消灯操作をおこなう位置と、がこの順に配置されており、指示部１２００において、操作つまみ１１１０の基準点１１１１の位置に応じた操作内容を照明器具２０００に送信する構成となっている。
【００３７】
そのため、主照明２１００の点灯操作と消灯操作を切り替える過程で、必ず副照明２２００の点灯操作がおこなわれる。
【００３８】
これにより、主照明２１００の点灯操作と消灯操作を切り替える過程で、照明器具２０００を、副照明２２００の点灯という照度が低い点灯状態に容易に操作することができるという効果が得られる。
【００３９】
また、主照明２１００の点灯操作と消灯操作を切り替える過程で、必ず副照明２２００が点灯されるため、いきなり照度が大きく異なる点灯状態に操作されることが無いという効果が得られる。
【００４０】
なお、上述した実施形態の照明システムは、一例であり、その構成及び動作は、発明の主旨を逸脱しない範囲で、適宜に変更可能である。
【００４１】
例えば、上述した実施形態では、照明操作装置１０００としてリモコン式のものを想定しているが、壁に埋め込まれた埋め込み式の照明操作装置でも良い。
【００４２】
また、スイッチ部１１００には、操作つまみ１１１０としてスライドつまみを備えるスライドスイッチを用いているが、図３に示すように、操作つまみ１１１０として回転つまみを備えるロータリースイッチを用いても良い。
【図面の簡単な説明】
【００４３】
【図１】本発明の一実施形態の照明システムの構成を示すブロック図である。
【図２】図１に示したスイッチ部の一例の外観図である。
【図３】図１に示したスイッチ部の他の例の外観図である。
【図４】リモコン式の照明操作装置に用いるスイッチ部の典型例の外観図である。
【符号の説明】
【００４４】
１０００    照明操作装置
１１００    スイッチ部
１１１０    操作つまみ
１１１１    基準点
１２００    指示部
２０００    照明器具
２１００    主照明
２２００    副照明
２３００    制御部
【図１】
2009140863.tif 000003
【図２】
2009140863.tif 000004
【図３】
2009140863.tif 000005
【図４】
2009140863.tif 000006